(57)【要約】  有害生物駆除装置が提供される。有害生物駆除装置は、閉鎖端及び少なくとも一つの開放端を有する容器と、容器の開放端をほぼ閉鎖するようにされた密閉手段と、密閉手段と関連付けられた閉鎖手段であって、作動されたとき真空を維持するために及び有害生物を前記容器内に閉じ込めるために開放端をほぼ閉鎖するようにされた閉鎖手段と、閉じ込めた有害生物に死をもたらすのに十分な酸素を容器から排気する排気手段とを含んでいる。有害生物の存在を感知して有害生物駆除装置を作動させる斬新な感知装置も提供される。
2010523110.tif 000002
【特許請求の範囲】
【請求項１】
閉鎖端及び少なくとも一つの開放端を有する容器と、
前記容器の開放端をほぼ閉鎖するようにされた密閉手段と、
前記密閉手段と関連付けられた閉鎖手段であって、作動されたとき真空を維持するために及び有害生物を前記容器内に閉じ込めるために前記開放端をほぼ閉鎖するようにされた閉鎖手段と、
閉じ込めた有害生物に死をもたらすのに十分な酸素を前記容器から排気する排気手段と、を含む有害生物駆除装置。
【請求項２】
前記排気手段は前記容器内に真空を生み出すようにされている、請求項１に記載の有害生物駆除装置。
【請求項３】
前記密閉手段はシャッターを含んでいる、請求項１又は２に記載の有害生物駆除装置。
【請求項４】
前記容器は、有害生物が中に閉じ込められる袋を含んでいる、請求項１〜３のいずれか一項に記載の有害生物駆除装置。
【請求項５】
請求項２に従属したとき、前記真空が前記袋の中に生み出される、請求項４に記載の有害生物駆除装置。
【請求項６】
前記密閉手段は、前記袋の開放端を密閉するようにされた係合手段及び熱融着要素を含んでいる、請求項４又は５に記載の有害生物駆除装置。
【請求項７】
前記袋は、前記排気手段との係合のための弁を含んでいる、請求項４〜６のいずれか一項に記載の有害生物駆除装置。
【請求項８】
前記閉鎖手段は、前記容器内における有害生物の存在を決定して前記閉鎖手段を作動するようにされたトリガ機構を含んでいる、請求項１〜７のいずれか一項に記載の有害生物駆除装置。
【請求項９】
前記トリガ機構は感知装置を含んでいる、請求項８に記載の有害生物駆除装置。
【請求項１０】
前記感知装置は、ほぼ平行の離間された導体を有する容量性センサを含んでいる請求項９に記載の有害生物駆除装置であって、前記離間された導体はエアギャップによって分離されていてそれらの間にキャパシタを形成しており、前記エアギャップを前記有害生物が通行し、有害生物の前記通行が前記キャパシタの静電容量の変化を引き起こす、請求項９に記載の有害生物駆除装置。
【請求項１１】
前記感知装置は、前記容量性センサの前記静電容量を測定及び監視するために処理手段を含んでいる、請求項１０に記載の有害生物駆除装置。
【請求項１２】
前記測定は、前記キャパシタの充電及び／又は放電に要する時間を測定することによって達成される、請求項１１に記載の有害生物駆除装置。
【請求項１３】
前記測定は、前記キャパシタを含む共振回路の周波数を測定することによって達成される、請求項１１に記載の有害生物駆除装置。
【請求項１４】
前記処理手段は、前記静電容量が予め規定された閾値を超えたとき出力信号を供給するようにされている、請求項１１〜１３のいずれか一項に記載の有害生物駆除装置。
【請求項１５】
該有害生物駆除装置が様々な有害生物を選択的に対象とすべく構成されるように、前記開放端は、予め定められた直径の開口を有している、請求項１〜１４のいずれか一項に記載の有害生物駆除装置。
【請求項１６】
前記シャッターは、作動されたとき前記容器の前記開放端を急速に閉じるようにされている、請求項３に記載の有害生物駆除装置。
【請求項１７】
前記シャッターは前記容器にヒンジ式に接続されている、請求項３又は請求項１６に記載の有害生物駆除装置。
【請求項１８】
前記シャッターは、作動構造形において前記開放端に接触することにより前記開放端をほぼ密閉するようにされている、請求項１６又は１７に記載の有害生物駆除装置。
【請求項１９】
前記シャッターは、予め定められた時間の後に開くようにされている、請求項１６〜１８のいずれか一項に記載の有害生物駆除装置。
【請求項２０】
前記容器は、前記シャッターが開いたとき、有害生物を該有害生物駆除装置から排出すようにされている、請求項１６〜１９のいずれか一項に記載の有害生物駆除装置。
【請求項２１】
前記コンテは、有害生物を重力手段によって排出するようにされている、請求項２０に記載の有害生物駆除装置。
【請求項２２】
前記容器は鉛直表面に接続される、請求項１〜２１のいずれか一項に記載の有害生物駆除装置。
【請求項２３】
前記容器内に投与される窒息性ガスを収容しているリザーバを任意選択的に含む、請求項１〜２２のいずれか一項に記載の有害生物駆除装置。
【請求項２４】
前記排出手段は、前記容器の排気によって窒息性ガスを前記容器内へ引き入れるようにされている、請求項２３に記載の有害生物駆除装置。
【請求項２５】
前記閉鎖手段は、機械的レバー、ホイール、ねじ作用、空気圧、油圧、又はばね作用ユニットから選択されたものである、請求項１〜２４のいずれか一項に記載の有害生物駆除装置。
【請求項２６】
前記閉鎖手段は、幹線給電、太陽光発電、風力発電、ばね動力、電池電源、又はそれらの組み合わせによって電力または動力を供給される、請求項１〜２５のいずれか一項に記載の有害生物駆除装置。
【請求項２７】
前記容器は、弾力のある細長い円筒状本体を有している、請求項１〜２６のいずれか一項に記載の有害生物駆除装置。
【請求項２８】
前記閉鎖手段は、任意選択的に、手動で、又は自動的に、又は遠隔で作動される、請求項１〜２７のいずれか一項に記載の有害生物駆除装置。
【請求項２９】
通信手段を含んでいる、請求項１〜２８のいずれか一項に記載の有害生物駆除装置。
【請求項３０】
前記通信手段を使って状態通知メッセージを送信する、請求項２９に記載の有害生物駆除装置。
【請求項３１】
前記通信手段を使って遠隔制御される、請求項２９又は３０に記載の有害生物駆除装置。
【請求項３２】
前記通信手段はＧＳＭモジュールによって提供され、該有害生物駆除装置はＳＭＳメッセージによって通信されるようにされている、請求項２９〜３１のいずれか一項に記載の有害生物駆除装置。
【請求項３３】
有害生物を殺した後に罠をリセットする方法であって、請求項１に記載の装置の前記開放端が地面の方に向けられるように、請求項１に記載の装置を鉛直表面に取り付ける段階を含んでいる方法。
【請求項３４】
有害生物を容器内に閉じ込める段階と、
前記有害生物を殺すのに十分な酸素を前記容器から排気する段階と、を含んでいる有害生物を殺す方法。
【請求項３５】
前記容器を密閉する段階を更に含んでいる、請求項３４に記載の有害生物を殺す方法。
【請求項３６】
前記容器はプラスチックの袋を含んでいる、請求項３５又は３６に記載の有害生物を殺す方法。
【請求項３７】
前記容器の排気が、前記容器内への窒息性ガスの放出を起こす、請求項３４〜３６のいずれか一項に記載の有害生物を殺す方法。
【請求項３８】
限られた空間内で一匹以上の有害生物の存在を決定する感知装置であって、
該感知装置は、ほぼ平行の離間された導体を有する容量性センサを含んでおり、前記導体はエアギャップによって分離されてそれらの間にキャパシタを形成しており、前記エアギャップを有害生物が通行し、有害生物の前記通行が前記キャパシタの静電容量の変化を引き起こす、感知装置。
【請求項３９】
前記キャパシタの前記静電容量を測定及び監視するために処理手段を含んでいる、請求項３８に記載の感知装置。
【請求項４０】
前記測定は、前記キャパシタの充電及び／又は放電に要する時間を測定することによって達成される、請求項３９に記載の感知装置。
【請求項４１】
前記測定は、前記キャパシタを含む共振回路の周波数を測定することによって達成される、請求項３９に記載の感知装置。
【請求項４２】
前記処理手段は、前記静電容量が予め規定された閾値を超えたとき出力信号を供給するようにされている、請求項３９〜４１のいずれか一項に記載の感知装置。
【請求項４３】
前記出力信号はトリガとして用いられる、請求項４２に記載の感知装置。
【請求項４４】
添付図面のいずれか一つを参照して本明細書で実質的に説明された有害生物駆除装置。
【請求項４５】
添付図面のいずれか一つを参照して本明細書で実質的に説明された、有害生物を殺した後に罠をリセットする方法。
【請求項４６】
添付図面のいずれか一つを参照して本明細書で実質的に説明された、有害生物を殺す方法。
【請求項４７】
添付図面のいずれか一つを参照して本明細書で実質的に説明された、限られた空間内で一匹以上の有害生物の存在を感知するための感知装置。
【発明の詳細な説明】
【技術分野】
【０００１】
本発明は、有害生物駆除装置に関するものである。本発明は、有害生物を殺す改良された方法にも関係する。
【背景技術】
【０００２】
この明細書をとおして、用語の“有害生物”に対する参照がなされる。前記用語は、環境又は自然の植物相と動物相に対して損害を与え得る好ましからざる脊椎動物又は無脊椎動物を指すものとして理解されるべきである。本発明が対象とするようにされた有害生物は、限定するものではないが、齧歯動物、鳥、昆虫、ふくろねずみ、野生猫、及び同等なものを含んでいる。
【０００３】
有害生物駆除装置は、概ね三つのカテゴリー、つまり機械的罠、化学的毒物又は毒物に関係する燻蒸剤、及び生物的駆除に分類される。
【０００４】
多くの装置が有害生物を駆除するために入手可能である。米国特許出願公開第２００６／０１５６６１７号明細書の題名「齧歯動物を罠にかけて殺すためのスナップ罠エンクロージャ」のような一つの典型的なタイプの罠は、作動したときに動物を押しつぶすか突き刺すばね式レッグを含んでいる。他の一般的な装置は、動物の首を絞めて動物の脳へ流れる血液を制限することによって死をもたらす。
【０００５】
しかしながら、そのようなユニットは典型的に単作用運動装置であり、前記単作用運動装置は、扱い難く、効果が限定的で、しばしば残忍なものである。
【０００６】
動物を使って電気回路を完成させて致命的な量の電流を供給する電気的装置もある。そのような装置は、通常は残忍なものとみなされるとともに、特定の体重と大きさの動物に限定される。
【０００７】
より最近の装置は、二酸化炭素ガスを放出する前に動物を閉じ込める罠を組み入れている。そのような装置は、有毒な殺虫剤の使用を回避するという利点を有している。しかしながらそれらは、運用に費用がかかり、また一般的に、介入が必要になる前にただ一回の起動ができるものであり、その使用に大きな人件費を追加する。前記介入は、使用される毒物を交換して有害生物を罠から取り除くために必要である。
【０００８】
このような罠は、この罠が密閉されて前記気体が放出されるようにトリガー手段又は感知手段も必要とする。例えば、国際公開ＷＯ８７／０１０１１号パンフレット、題名「侵入者検出システム」は、この目的のためにマイクロスイッチ及び赤外線センサーの使用を開示している。
【０００９】
化学的駆除は、有害生物駆除の分野でよく知られていて、１０８０、抗凝血剤、リン化物、コレカルシフェラル、及びシアン化合物を含んでいる。しかしながら、化学的駆除の使用に関する懸念は、それらの使用に結びついた環境へのリスクに集中する。有害生物の駆除のための化学的毒物は、ある期間にわたる複数の動物に対する複数投与適用の利点を有するとはいえ、それらは、環境を汚染する化学的残留物、亜致死投与、及び二次中毒という結果を招くことがある。
【発明の概要】
【発明が解決しようとする課題】
【００１０】
本発明の目的は、前述した問題の少なくとも一つを解消又は改善する及び／又は公衆に有用な代替物を少なくとも提供する、有害生物駆除装置及び／又は一もしくは複数の対象有害生物を殺す方法を提供することである。
【課題を解決するための手段】
【００１１】
本発明の一実施例によると、
閉鎖端及び少なくとも一つの開放端を有する容器と、
前記容器の開放端をほぼ閉鎖するようにされた密閉手段と、
前記密閉手段と関連付けられた閉鎖手段であって、作動されたとき真空を維持するために及び有害生物を前記容器内に閉じ込めるために前記開放端をほぼ閉鎖するようにされた閉鎖手段と、
閉じ込めた有害生物に死をもたらすのに十分な酸素を前記容器から排気する排気手段と、を含む装置が提供される。
【００１２】
好適には、前記排気手段は前記容器内に真空を生み出すようにされている。
【００１３】
好適には、前記密閉手段はシャッターを含んでいる。
【００１４】
好適には、前記容器は、有害生物が中に閉じ込められる袋を含んでいる。
【００１５】
好適には、真空が前記袋の中に生み出される。
【００１６】
好適には前記密閉手段は、前記袋の開放端を密閉するようにされた係合手段及び熱融着要素を含んでいる。
【００１７】
好適には、前記袋は前記排気手段との係合のための弁を含んでいる。
【００１８】
好適には、前記閉鎖手段は、前記容器内における有害生物の存在を決定して前記閉鎖手段を作動するようにされたトリガ機構を含んでいる。
【００１９】
好適には、前記トリガ機構は感知装置を含んでいる。
【００２０】
好適には、前記感知装置は、ほぼ平行の離間された導体を有する容量性センサを含んでおり、前記離間された導体はエアギャップによって分離されていてそれらの間にキャパシタを形成しており、前記エアギャップを前記有害生物が通行し、有害生物の前記通行が前記キャパシタの静電容量の変化を引き起こす。
【００２１】
好適には、前記感知装置は、前記容量性センサの前記静電容量を測定及び監視するために処理手段を含んでいる。
【００２２】
好適には、前記測定は、前記キャパシタの充電及び／又は放電に要する時間を測定することによって達成される。
【００２３】
代わりに、前記測定は、前記キャパシタを含む共振回路の周波数を測定することによって達成される。
【００２４】
好適には、前記処理手段は、前記静電容量が予め規定された閾値を超えたとき出力信号を供給するようにされている。
【００２５】
好適には、本装置が様々な有害生物を選択的に対象とすべく構成されるように、前記開放端は、予め定められた直径の開口を有している。
【００２６】
好適には、前記シャッターは、作動されたとき前記容器の前記開放端を急速に閉じるようにされている。
【００２７】
好適には、前記シャッターは前記容器にヒンジ式に接続されている。
【００２８】
好適には、前記シャッターは、作動構造形において前記開放端に接触することにより前記開放端をほぼ密閉するようにされている。
【００２９】
好適には、前記シャッターは、予め定められた時間の後に開くようにされている。
【００３０】
好適には、前記容器は、前記シャッターが開いたとき、有害生物を該有害生物駆除装置から排出すようにされている。
【００３１】
好適には、前記コンテは、有害生物を重力手段によって排出するようにされている。
【００３２】
好適には、前記容器は鉛直表面に接続される。
【００３３】
好適には、本装置は、前記容器内に投与される窒息性ガスを収容しているリザーバを任意選択的に含んでいる。
【００３４】
好適には、前記排出手段は、前記容器の排気によって窒息性ガスを前記容器内へ引き入れるようにされている。
【００３５】
好適には、前記閉鎖手段は、機械的レバー、ホイール、ねじ作用、空気圧、油圧、又はばね作用ユニットから選択されたものである。
【００３６】
好適には、前記閉鎖手段は、幹線給電、太陽光発電、風力発電、ばね動力、電池電源、又はそれらの組み合わせによって電力または動力を供給される。
【００３７】
好適には、前記容器は、弾力のある細長い円筒状本体を有している。
【００３８】
好適には、前記閉鎖手段は、任意選択的に、手動で、又は自動的に、又は遠隔で作動される。
【００３９】
好適には、本装置は通信手段を含んでいる。
【００４０】
好適には、本装置は前記通信手段を使って状態通知メッセージを送信する。
【００４１】
好適には、本装置は前記通信手段を使って遠隔制御される。
【００４２】
好適には、前記通信手段はＧＳＭモジュールによって提供され、本装置はＳＭＳメッセージによって通信されるように構成されている。
【００４３】
更なる様相によると、本発明は、有害生物を殺した後に罠をリセットする方法であって、前述の記載のいずれか一つによる装置の前記開放端が地面の方に向けられるように、前記装置を鉛直表面に取り付ける段階を含んでいる方法に存すると広く言える。
【００４４】
更なる様相によると、本発明は、
有害生物を容器内に閉じ込める段階と、
有害生物を殺すのに十分な酸素を前記容器から排気する段階とを含んでいる、有害生物を殺す方法に存すると広く言える。
【００４５】
好適には、前記方法は前記容器を密閉する段階を更に含んでいる。
【００４６】
好適には、前記容器はプラスチックの袋を含んでいる。
【００４７】
好適には、前記容器の排気が、前記容器内への窒息性ガスの放出を起こす。
【００４８】
更なる様相によると、本発明は、限られた空間内で一匹以上の有害生物の存在を決定する感知装置に存すると広く言え、
前記感知装置は、ほぼ平行の離間された導体を有する容量性センサを含んでおり、前記導体はエアギャップによって分離されてそれらの間にキャパシタを形成しており、前記エアギャップを有害生物が通行し、有害生物の前記通行が前記キャパシタの静電容量の変化を引き起こす。
【００４９】
好適には、本装置は、前記キャパシタの前記静電容量を測定及び監視するために処理手段を含んでいる。
【００５０】
好適には、前記測定は、前記キャパシタの充電及び／又は放電に要する時間を測定することによって達成される。
【００５１】
代わりに、前記測定は、前記キャパシタを含む共振回路の周波数を測定することによって達成される。
【００５２】
好適には、前記処理手段は、前記静電容量が予め規定された閾値を超えたとき出力信号を供給するようにされている。
【００５３】
好適には、前記出力信号はトリガとして用いられる。
【００５４】
本発明の更なる様相によると、添付図面のいずれか一つを参照して本明細書で実質的に説明された有害生物駆除装置が提供される。
【００５５】
本発明の更なる様相によると、添付図面のいずれか一つを参照して本明細書で実質的に説明された有害生物を殺した後に罠をリセットする方法が提供される。
【００５６】
本発明の更なる様相によると、添付図面のいずれか一つを参照して本明細書で実質的に説明された有害生物を殺す方法が提供される。
【００５７】
本発明の更なる様相によると、添付図面のいずれか一つを参照して本明細書で実質的に説明された限られた空間内で一匹以上の有害生物の存在を感知するための感知装置が提供される。
【００５８】
本発明は、例示を目的として及び添付図面を参照してここで説明される。
【図面の簡単な説明】
【００５９】
【図１ａ】木に取り付けられた本発明の装置の好適な実施例の作動構造形における部分透視図である。
【図１ｂ】木に取り付けられた本発明の装置の好適な実施例の作動可能構造形における部分透視図である。
【図２ａ】図１の装置の作動構造形における平面図である。
【図２ｂ】図１の装置の作動構造形における側面図である。
【図２ｃ】図１の装置の作動構造形における部分透視正面図である。
【図２ｄ】図１の装置の作動構造形における底面図である。
【図３】オプションの延長ユニットを含む、図１の装置の断面図である。
【図４ａ】オプションの延長ユニットを含む、図２の装置の作動構造形における斜視図である。
【図４ｂ】オプションの延長ユニットを含む、図２の装置の作動可能構造形における斜視図である。
【図５ａ】本発明による装置のさらに別の実施例の完全に組み立てられた斜視図である。
【図５ｂ】本発明による装置のさらに別の実施例のハウジングの一部が取り除かれた斜視図である。
【図５ｃ】本発明による装置のさらに別の実施例の分解斜視図である。
【図６ａ】本発明による装置のさらに別の好適な代替実施例の正面断面図である。
【図６ｂ】本発明による装置のさらに別の好適な代替実施例の側面断面図である。
【図６ｃ】本発明による装置のさらに別の好適な代替実施例の斜視図である。
【図７】本発明による感知装置のブロック図である。
【発明を実施するための形態】
【００６０】
図１を参照すると、鉛直方向で木に取り付けられた本発明の好適な実施例の装置１が、平面斜視図で示されている。装置１は図１ａ及び図１ｂにおいて木２に取り付けられている。装置１は、容器３、シャッター４（図１ａでは部分的に見えなくされている）、閉鎖手段５、及び排気手段６を含んでいる。
【００６１】
装置１は、図１ａでは作動構造形で示されており、一方図１ｂでは作動可能構造形で示されている。装置は、作動可能構造形において有害生物を罠で捕らえるように準備されている。
【００６２】
容器３は、実質的に弾力のある細長い円筒状の本体を有している。好適な実施例では、本体は、−２０ｋＰａから９５ｋＰａ（ここで１００ｋＰａは１気圧である）の間の真空圧に耐えることができる、弾力性のある堅いプラスチック又は金属から形成されている。
【００６３】
装置１は、さまざまな表面に接続されるように構成されている。装置１は、湾曲して外側に向いた外側面７ａと、ほぼ平坦な又は部分的に内側に湾曲した側面７ｂとを含んでいる。ほぼ平坦な側面７ｂは、例えば木又は鉛直表面に対する装置１の接続を改善するようにされている。
【００６４】
容器３は任意の形状であってよいが、予め定められた有害生物の閉じ込めに適するように好適に作られている。
【００６５】
容器３は開放端８及び閉鎖端９を含んでいる。開放端８は、所定の有害生物が容器３に入ることを可能にするように構成されている。開放端８は、地面の方に向けられており、このことは装置１のリセットを可能にする。開放端８は、開口１２（図１ｂ）を提供するようにデザインされており、前記開口１２は、所定の有害生物が容器３の中に入ることを可能にする大きさであるとともに、大きい動物及び／又は対象外の動物を好適に排除する大きさのものである。開放端８及び開口１２は図１ｂに最良に描かれている。開放端８の開口１２の大きさ及び容器３の大きさは、閉じ込める有害生物に応じて通常は変更され得る。２個以上の開放端８があってもよいことが理解されるであろう。例えば、閉鎖端９は他の開放端に置き換えられることが可能であり、又は代わりに装置１は容器３内への様々な開放端入口を含んでよい。
【００６６】
好適な一実施例では、容器３の大きさは、体重６ｋｇ、体長約５０ｃｍ、及び直径約２５ｃｍまでのブラッシュテイルオポッサム、又は体長約３５ｃｍ及び直径約２０ｃｍの齧歯動物を快適に収容するように構成されている。しかしながら、容器３及び開口１２は任意の大きさ又は形状であってもよい。
【００６７】
有害生物が容器３内へ入るのを助長するために、餌（不図示）が容器３内に取り付けられてよい。餌の選択は、装置１によって対象とされるべき特定の有害生物に強く依存するだろう。餌は、以下に説明される閉鎖手段５を作動させるように構成されたトリガ機構に取り付けられてよい。容器内である時に定量分配される２個以上の餌又は疑似餌があってよく、及び主餌によって更に内部に誘い込まれる前に有害生物を誘い入れるために、事前給餌された又は少量の餌が、装置１の開口１２に又は前記開口１２にほぼ近接して供給されてよい。
【００６８】
装置１は、有害生物が容器３内に入るのを促進するために、容器３内に装着された登上手段１０を任意選択的に含む。登上手段１０は容器３の内表面１１に取り付けられている。登上手段１０は、任意選択的であって、その導入は、装置１によって対象とされる特定の有害生物に強く依存している。例えば、ねずみは、餌に到達するその容器３内への移動を改善するために登上手段１０を使用することがある。対象の有害生物が例えば鳥又は無脊椎動物であるなら、登上手段１０は不要であろう。閉鎖手段５を作動させて装置１が（図１ａの）作動構造形に転換するために、登上手段１０又は登上手段１０の段（図１ａ及び１ｂでは省略）は圧力作動トリガ機構を提供してよい。
【００６９】
容器３の開放端８は密閉手段によって閉じられ、前記密閉手段は図解されている実施例ではシャッター４の形をしている。
【００７０】
シャッター４は、急速に閉じるように構成されることにより、有害生物が一旦容器３に入って閉鎖手段５を作動させたなら有害生物が容器３から立ち去ることを防止する。好適な実施例では、シャッター４は、作動構造形のとき開口１２の全体を覆うようにされたプレートである。シャッター４の外表面は基部プレートを有しており、前記基部プレートはシャッター４から外方に延びて、閉鎖手段５に接続するための手段を提供している。基部プレートは図２を参照して次に論述される。
【００７１】
シャッター４は、容器３にヒンジ式に係合しており、作動可能構造形から作動構造形へ移動して作動可能構造形に戻ることができる。もちろん、二つ以上の開放端があるなら、追加の開放端を閉鎖するために更に別のシャッターが設けられるだろう。
【００７２】
上述したように、容器３は、一つ又は複数のシャッターに関連付けられた閉鎖手段５を含んでいる。閉鎖手段５は、容器３内のどこかに配置されたトリガ機構によって一度始動されたなら容器３の開放端８の全域でシャッター４を急速に閉じるように構成されている。閉鎖手段５は、シャッター４を閉じることができる任意の形態の機械的又は電気的ユニットを含み得る。好適な実施例では、閉鎖手段５は、機械的レバー、ホイール、ねじ作用、空気圧、油圧、又はばね作用から選択される。好適には、閉鎖手段５は、有害生物の逃げ出しを防ぐ速度でシャッター４を閉じるように構成されているが、閉じ込められた有害生物がその尻尾又は他の外肢を容器３内に引き込むことを可能にするために、速度は作動の最終部分付近（全閉からほぼ５ｍｍ）で減速される。代わりに、シャッター４は有害生物の逃走を防ぐためにほぼ閉じて、次に、完全に閉じる前に予め規定された１〜６０秒の間待ち、シャッター４が密閉を形成するように完全に閉じることができないなら、シャッター４は、有害生物の例えば尻尾が閉じ込められるように開放及び再閉鎖するように構成されてよい。このように、シャッター４は、開放端８の全域にわたってほぼ気密のシールを形成することができる。
【００７３】
閉鎖手段５の一部を構成するトリガ機構が、例えば餌（不図示）又は登上手段１０の下に、又は登上手段１０の段の一部として配置され得る。本技術分野に知識を有する者は、容器３内に挿入されてシャッター４を作動させるように用いられる、例えば機械的又は電気的圧力センサ又は赤外線センサのような可能なトリガ機構に気付くだろう。しかしながら、好適な実施例では、トリガ機構は、容量性近接センサを含む感知装置から構成されている。
【００７４】
図７を参照すると、有害生物の存在又は通過を決定するのに適した感知装置５０が、少なくとも二つの対向して好適には平行な導体５１から構成され、前記少なくとも二つの導体５１は、容器３内で又は容器３にほぼ近接して離間されていて、それらの間のエアギャップが誘電体媒体を形成している。導体５１の間隔は、有害生物を収容するのに十分であり、有害生物は、餌に到達するために導体５１の間を通るように強いられる。有害生物が導体５１の間を通るとき、そのより高い比誘電率が導体間の全体的比誘電率を変化させて、回路の静電容量の変化を引き起こす。
【００７５】
二つの導体の間の静電容量は共振回路の一部を形成する。従って、静電容量の任意の変化が共振回路の周波数の対応する変化を引き起こし、従って周波数は、罠の中への有害生物の移動を決定するために監視され得る。
【００７６】
しかしながら、好適には静電容量の変化は信号処理演算増幅器５２によって増幅され、次に前記静電容量の変化は、マイクロ制御装置のような処理手段５３によって監視されて、キャパシタの充電及び／又は放電に要した時間に基づいて測定される。その時間は、１〜２０Ｈｚの間の周波数で好適に測定されるが、連続的測定の間にキャパシタが完全に充電及び放電するのに十分な時間が許容されるという条件で、他の測定周波数又は不定期測定が用いられてもよい。
【００７７】
処理手段５３は、予め規定された静電容量の閾値が超えられたとき出力信号を供給するように好適にプログラムされていて、それにより閉鎖手段５を始動又は作動させて、例えば本明細書で前述されたように密閉手段を閉じて有害生物を容器の中に閉じ込める。代わりに又は更に、出力信号が、好適には一以上の発光ダイオードの形をした一以上の状態表示器４７を制御するために用いられてよい。
【００７８】
容量性センサ５０は、例えば有害生物の存在を決定するために輸送容器に配置されたとき、又は例えばカメラの作動を始動するために巣若しくは巣穴の中に配置されたとき、有害生物又は他の動物の存在を検出することにおける代替の用途を有することも想起される。
【００７９】
再び図１及び２を参照すると、閉鎖手段５は離間された二本のアーム１３及び１４も含んでおり、前記アーム１３及び１４は、軸３５を介してシャッター４の基部プレートに滑動可能に係合している。閉鎖手段は、図２を参照して以下に更に説明される。
【００８０】
装置１は、容器内を減圧するように構成された排気手段６も含んでいる。排気手段６は、脳塞栓症及び／又は窒息によって有害生物に死をもたらすのに十分なほど容器３から酸素を排気するように構成されている。
【００８１】
このようにして、容器内に収容された有害生物は酸素が欠乏してすぐに死亡する。好適な実施例では、排気手段は、閉じ込めた有害生物の急速な死を確実にするために、−２０ｋＰａから−９５ｋＰａ（完全真空の基準として−１００ｋＰａ）の間の真空状態又は低圧状態を有している。この範囲外の真空圧が使用されてよいが、−８０から−９５ｋＰａの間の低圧状態の真空が急速な脳塞栓症及び／又は窒息を誘発して有害生物の急速な死を引き起こすだろう。排気手段は排気ポンプを含み得る。
【００８２】
好適には、閉鎖手段及び排気ポンピングプロセスは、幹線給電、太陽光発電、風力発電、ばね動力、電池電源、又はそれらの組み合わせによって電力または動力を供給される。
【００８３】
図２を参照すると、装置１の可能な代替実施例が図示されている。装置はリザーバ３１を含んでいる。容器３が排気されたとき、即ち酸素の体積が容器３から除去されたなら、窒息ガスが、好適にはリザーバ３１からのガスとしてリザーバから放出される。図２ａでは、装置１は閉鎖端９から示されていて、閉鎖端９に取り付けられたリザーバ３１が図示されている。閉鎖手段５は二本のアーム１３及び１４を含んでおり、前記二本のアーム１３及び１４は離間されていて閉鎖手段５からシャッター４（図２ａでは省略）の方へ延びてシャッター４に接続している。
【００８４】
図２ｂ及び２ｃは、作動構造形における装置１の側面図及び正面図を示している。シャッター４は容器３の開放端８をほぼ閉じてほぼ気密のシールを形成している。アーム１３（図示省略）及びアーム１４は軸３５（図示省略）を介して接続されて、シャッター４の基部プレート３４のスロット３３内に滑動可能に係合している。アーム１３及び１４の方向Ｂへの運動は、軸３５をスロット３３に沿って移動させて、シャッター４の閉鎖を引き起こし、装置１に作動構造形を採用させる。
【００８５】
図２ｄは装置１の底面図を示している。装置１は作動構造形で示されている。アーム１３及び１４は軸３５によって接続されている。軸３５は基部プレート３４のスロット３３を貫通している。スロット３３内における軸３５の移動は、シャッター４の作動可能構造形から作動構造形への移動を引き起こす。
【００８６】
好適には排気手段６は、一度作動されると所要の体積の空気又は酸素を取り除く、動力作動ダイヤフラム、回転ポンプ、ピストンポンプ、又は空気ポンプ類似装置である。排気手段は、例えば有害生物の窒息を保証するのに十分な時間容器３内の真空を維持するために、タイマー及び圧力センサによって制御され得る。この時間は、排気速度、有害生物の大きさ及び／又はタイプ、及び装置１により達せられる真空圧力を含むいくつかの要因によって決まる。
【００８７】
図３及び４を参照すると、装置１は、装置１の開放端８から延びる延長ユニット２０を任意選択的に含んでいる。
【００８８】
延長ユニット２０は開放端８から延びるように構成されている。延長ユニット２０は、頂端２１と底端２２とを有する本体を含んでいる。前記本体は、やはり円筒形で堅く、また装置１の本体の形状にほぼ合致する側面２３及び２４を含んでいる。延長ユニット２０は、装置１に同様の材料、例えばプラスチック材料のような材料で作られている。
【００８９】
対象有害生物が延長ユニット２０及びそれに続く装置１内に入ることを可能にするために、本体の底２２は開口２７を有している。内部仕切２５が、延長ユニット２０の内部空間２９の中ほどまで延びて内部空間２９を区分している。弾性フラップ２６は、有害生物が仕切２５を押しのけて装置１内に入ることを可能にする。フラップ２６は、有害生物がフラップ２６を押しのけたとき跳ね返って戻って開口２７を覆う。フラップ２６は、例えばゴム又はプラスチック材料で作られている。延長ユニット２０はトラップドア３２も含んでおり、前記トラップドア３２を通って死んだ動物が捕集室２８へ落下する。これは図４で最良に見られる。装置１が作動可能構造形から作動構造形へ移行したなら、容器３は排気されて有害生物は窒息させられる。次いでシャッター４が開放して、死んだ有害生物がトラップドア３２を通って延長ユニット２０内の捕集室２８の中へ落下する。
【００９０】
本発明は、有害生物を殺す（又は好ましくない動物を安楽死させる）方法も提供する。
【００９１】
餌は装置１の容器３の中に取り付けられる。好適には餌は、誘引含浸ポリマー材料、多様な時間間隔で夜に音を発する装置、水性ジェル、水、及び対象有害生物をおびき寄せるのに適した他の誘引物質を含み得る。疑似餌又は餌は、センサ又はトリガ機構上に置かれてよい。
【００９２】
トリガ機構に対する圧力の付加が閉鎖手段５を作動させる。閉鎖手段５はシャッター４を急速に閉じて、有害生物が装置１から出ることを実質的に制限する。好適な実施例ではシャッター４は、急速に、好適には２秒以内で開放端の開口１２の９５％を閉じる。開口１２の次の５％は、動物がその尻尾又は外肢を開口１２から引っ込めることを可能にするようにゆっくりと閉じられる。これは、開放端８全域にわたるシャッター４の気密シール性も向上させる。
【００９３】
次に容器３の空気が排気される。これは動物に酸素不足をもたらして死を引き起こす。空気の体積が除去されたとき窒息性ガスが導入されてよく、これはやはり有害生物に死をもたらす。窒息性ガスはリザーバ３１から放出され得る。
【００９４】
次にシャッター４は開放されて、装置が鉛直に配置されているなら死んだ有害生物が装置１から落下する。延長ユニット２０が装置１に接続されているなら、動物は捕集室２８内に落下する。捕集室２８は、死んだ有害生物の体重によってのみ開放されるドア３２によって閉じられている。これは、出現した有害生物が生きたまま捕集室２８に入ることを防ぐためである。これは、死んだ動物を収容して、次に出現した動物の介入を避けるという利点を有する。このように、本発明は、装置を使用後に自動的にリセットする方法を提供する。装置１が鉛直表面に取り付けられていて、シャッター４が開いたとき、死んだ有害生物は、重力手段によって装置から図１の地面の方に落下して図３及び４の捕集室２８内に落下する。
【００９５】
装置１は、次に出現する有害生物のために自動的にリセットされる。
【００９６】
装置がリセットしないで、特定の対象有害生物が容器３内に検査、監視、又は捕獲の目的のために収容されることが好適なことがある。
【００９７】
延長ユニット２０の代替又は追加として、装置１は、その直下に、該装置によって捕らえた有害生物を中に受け止めるための捕集袋を備えてよい。捕集袋は、好適には消毒されたプラスチック袋であるが、必ずしも消毒されていない他の材料から構成されてもよい。
【００９８】
好適な代替実施例によると、装置１の容器３は、内部に餌が配置される袋のようなサブ容器を含んでいる。前記袋は、好適にはプラスチック、又は真空を封じ込めるのに適した他の任意の材料である。理想的には、前記袋は密封されて真空がその袋の中に形成されるが、代わりに単に有害生物の廃棄を便利にするために袋が容器３の内側に備えられてもよい。この場合、容器３は真空に耐えて真空を封じ込めることが可能でなければならないのに対して、袋はそうではないだろう。
【００９９】
図５ａ〜図５ｄを参照すると、容器３は、ほぼ気密の耐真空袋４０から構成されるか、又はほぼ気密の耐真空袋４０を含んでいる。図示された好適な実施例では、容器３は、その中に配置されたハウジング４４と袋４０とを具備している。袋４０はハウジング４４の開口１２と連携するようにされた開放端４１を有している。酸素の排気に影響を及ぼすとともに、袋４０が一旦装置１から取り外されたら袋の中の真空を維持するために、袋４０は、該袋４０と真空ポンプの形をした排気手段６との間に逆止弁４５を含んでいる。
【０１００】
装置１は、有害生物が装置１内に入ったら袋４０の開放端４１を一時的に又は永久的に密閉する密閉手段を更に含んでいる。この好適な実施例では、密閉手段は、熱融着要素４６及び係合要素４２の形態をしており、前記係合要素４２は、熱融着を形成するために開放端４１において又は開放端４１にほぼ近接して袋４０を熱融着要素４６に対して押圧するためのものである。
【０１０１】
有害生物は、開口１２を経由して装置１内の袋４０の開放端４１内に入って装置を作動させ、その結果密閉手段４２が袋４０の開放端４１を密閉して、排気手段６が作動されて袋４０内に真空を生み出し、そのことにより有害生物を窒息させる。真空パックされた有害生物を収容しているプラスチック袋は次に処分される。従ってこの実施例は衛生的廃棄手段、及び／又は有害生物の検査のため又は証拠のための保存、又は例えば食料源としての用途のような他の目的のための有害生物の利用のための保存を提供するという利点を有している。猫及び／又は犬のような動物が、死んだ有害生物を食べようとして又はそうでなければそれに近付こうとして袋４０を齧ることを防止するために、袋４０は忌避薬を含んでいることもある。前記袋は消毒されたものでもよい。
【０１０２】
袋４０の交換及び罠のリセットを助けるために、容器３は取外し可能蓋４３を含んでいてよい。罠をリセットする必要があるか否かを見ることができるように、この蓋は透明であり得る。代わりに又は更に、装置１が複数の袋４０を備え、前記複数の袋４０を使って本明細書で前述されたように装置１が自動的にリセットされることも想定される。
【０１０３】
図６ａ〜図６ｃを参照すると、装置の好適な代替実施例が示されている。この実施例は、床に置かれて使用されるように構成されていて、外部の登上手段１０と、窒息された有害生物の捕集のための内部の捕集室２８とを備えている。捕集室２８は図示されているように捕集袋１５によって好適に区画されている。小さな餌又は事前飼料が、主餌（不図示）が保持されている容器３の下の装置１の内部に準備される。
【０１０４】
捕集室２８は、装置１内に一体にされていて、図示されるように捕集容器１５を取り外すことによって捕集室２８を空にすることを容易にするためにアクセスドア１６を好適に備えており、又は捕集室２８は、捕集された有害生物の処分にそれ自身が用いられる取外し可能な延長ユニット２０を備えていてもよい。装置１は、適切な延長ユニット２０への交換によって、木、壁、又は床に取り付けられる用途に適合され得る。
【０１０５】
好適な実施例によると、本発明は、例えば有害生物の捕獲のような装置の状態の変化を示す状態通知メッセージを送信するように働く有線及び／又は無線による通信手段を備えることもある。好適には、通信手段は、ＧＳＭ（汎欧州デジタルセルラーシステム）モジュールの形、又はＳＭＳ（ショートメッセージサービス）メッセージによって一以上の予め規定された携帯電話番号と通信するようにされた携帯電話の形をしている。従って、装置１は、例えば装置がリセットされなければならないか又は延長ユニット２０の捕集室２８が満杯かを示すメッセージを専用の分配コンピュータ及び／又は一以上の個人の携帯電話に送信する。
【０１０６】
通信は、存在するなら、容量性センサ５０を制御するのと同じマイクロ制御器又は別のマイクロ制御器によって制御され得る。メッセージを送信した後、マイクロ制御器は自動的に装置をリセット、若しくは電力を節約するために装置を停止する、又は装置は遠隔制御され、従ってリセットするように受信したメッセージに応答して装置それ自身をリセットのみする。通信モジュールはＧＳＭ／ＳＭＳ通信に関して説明されてきたが、任意の代替の有線及び／又は無線通信媒体及び通信標準が代わりに用いられてよいことが、本技術分野に知識を有する者には明らかであろう。
【０１０７】
従って本発明は、人間味があって確実なプロセス、即ち（１）有害生物を容器内に閉じ込めて、次に（２）有害生物に死をもたらすのに十分な酸素を容器から排気することによって、有害生物を殺す改良された方法を提供する。好適な実施例では、有害生物は真空パックされたプラスチック袋の中に衛生的に密閉される。本発明の代替実施例では、排気プロセスは、有害生物の死のスピードを速めるために窒息性ガスの容器３内への放出を開始する。窒息性ガスは、容器３の排気によってリザーバ３１から引き入れられる。
【０１０８】
前述の説明では、公知の均等物を有する発明の特定の構成要素又は完全体に対して参照がなされ、そのような均等物は、あたかも個別に述べられたように本明細書に組み入れられている。
【０１０９】
本発明は、例示を目的として及びその可能な実施例を参照して説明されてきたが、それに対する変更又は改良が本発明の範囲又は精神から逸脱することなくなされてよいことが理解されるべきである。
【図１（ａ）】
2010523110.tif 000003
【図１（ｂ）】
2010523110.tif 000004
【図２（ａ）】
2010523110.tif 000005
【図２（ｂ）】
2010523110.tif 000006
【図２（ｃ）】
2010523110.tif 000007
【図２（ｄ）】
2010523110.tif 000008
【図３】
2010523110.tif 000009
【図４（ａ）】
2010523110.tif 000010
【図４（ｂ）】
2010523110.tif 000011
【図５（ａ）】
2010523110.tif 000012
【図５（ｂ）】
2010523110.tif 000013
【図５（ｃ）】
2010523110.tif 000014
【図６（ａ）】
2010523110.tif 000015
【図６（ｂ）】
2010523110.tif 000016
【図６（ｃ）】
2010523110.tif 000017
【図７】
2010523110.tif 000018
【手続補正書】
【提出日】平成21年5月11日(2009.5.11)
【手続補正１】
【補正対象書類名】明細書
【補正対象項目名】全文
【補正方法】変更
【補正の内容】
【発明の詳細な説明】
【技術分野】
【０００１】
本発明は、有害生物駆除装置に関するものである。本発明は、有害生物を殺す改良された方法にも関係する。
【背景技術】
【０００２】
この明細書をとおして、用語の“有害生物”に対する参照がなされる。前記用語は、環境又は自然の植物相と動物相に対して損害を与え得る好ましからざる脊椎動物又は無脊椎動物を指すものとして理解されるべきである。本発明が対象とするようにされた有害生物は、限定するものではないが、齧歯動物、鳥、昆虫、ふくろねずみ、野生猫、及び同等なものを含んでいる。
【０００３】
有害生物駆除装置は、概ね三つのカテゴリー、つまり機械的罠、化学的毒物又は毒物に関係する燻蒸剤、及び生物的駆除に分類される。
【０００４】
多くの装置が有害生物を駆除するために入手可能である。米国特許出願公開第２００６／０１５６６１７号明細書の題名「齧歯動物を罠にかけて殺すためのスナップ罠エンクロージャ」のような一つの典型的なタイプの罠は、作動したときに動物を押しつぶすか突き刺すばね式レッグを含んでいる。他の一般的な装置は、動物の首を絞めて動物の脳へ流れる血液を制限することによって死をもたらす。
【０００５】
しかしながら、そのようなユニットは典型的に単作用運動装置であり、前記単作用運動装置は、扱い難く、効果が限定的で、しばしば残忍なものである。
【０００６】
動物を使って電気回路を完成させて致命的な量の電流を供給する電気的装置もある。そのような装置は、通常は残忍なものとみなされるとともに、特定の体重と大きさの動物に限定される。
【０００７】
より最近の装置は、二酸化炭素ガスを放出する前に動物を閉じ込める罠を組み入れている。そのような装置は、有毒な殺虫剤の使用を回避するという利点を有している。しかしながらそれらは、運用に費用がかかり、また一般的に、介入が必要になる前にただ一回の起動ができるものであり、その使用に大きな人件費を追加する。前記介入は、使用される毒物を交換して有害生物を罠から取り除くために必要である。
【０００８】
このような罠は、この罠が密閉されて前記気体が放出されるようにトリガー手段又は感知手段も必要とする。例えば、国際公開ＷＯ８７／０１０１１号パンフレット、題名「侵入者検出システム」は、この目的のためにマイクロスイッチ及び赤外線センサーの使用を開示している。
【０００９】
化学的駆除は、有害生物駆除の分野でよく知られていて、１０８０、抗凝血剤、リン化物、コレカルシフェラル、及びシアン化合物を含んでいる。しかしながら、化学的駆除の使用に関する懸念は、それらの使用に結びついた環境へのリスクに集中する。有害生物の駆除のための化学的毒物は、ある期間にわたる複数の動物に対する複数投与適用の利点を有するとはいえ、それらは、環境を汚染する化学的残留物、亜致死投与、及び二次中毒という結果を招くことがある。
【発明の概要】
【発明が解決しようとする課題】
【００１０】
本発明の目的は、前述した問題の少なくとも一つを解消又は改善する及び／又は公衆に有用な代替物を少なくとも提供する、有害生物駆除装置及び／又は一もしくは複数の対象有害生物を殺す方法を提供することである。
【課題を解決するための手段】
【００１１】
本発明の一実施例によると、
閉鎖端及び少なくとも一つの開放端を有する容器と、
前記容器の開放端をほぼ閉鎖するようにされた密閉手段と、
前記密閉手段と関連付けられた閉鎖手段であって、作動されたとき真空を維持するために及び有害生物を前記容器内に閉じ込めるために前記開放端をほぼ閉鎖するようにされた閉鎖手段と、
実質的な真空にして、脳塞栓症によって前記有害生物に急速な死をもたらすのに十分な真空を前記容器内に生み出す手段と、を含む装置が提供される。
【００１２】
好適には、実質的な真空を生み出す前記手段は前記容器内の圧力を急速に低下させる。
【００１３】
好適には、前記密閉手段はシャッターを含んでいる。
【００１４】
好適には、前記容器は、有害生物が中に閉じ込められる袋を含んでいる。
【００１５】
好適には、真空が前記袋の中に生み出される。
【００１６】
好適には、前記密閉手段は、前記袋の開放端を密閉するようにされた係合手段及び熱融着要素を含んでいる。
【００１７】
好適には、前記袋は前記真空を生み出す手段との係合のための弁を含んでいる。
【００１８】
好適には、前記閉鎖手段は、前記容器内における有害生物の存在を決定して前記閉鎖手段を作動するようにされたトリガ機構を含んでいる。
【００１９】
好適には、前記トリガ機構は感知装置を含んでいる。
【００２０】
好適には、前記感知装置は、ほぼ平行の離間された導体を有する容量性センサを含んでおり、前記離間された導体はエアギャップによって分離されていてそれらの間にキャパシタを形成しており、前記エアギャップを前記有害生物が通行し、有害生物の前記通行が前記キャパシタの静電容量の変化を引き起こす。
【００２１】
好適には、前記感知装置は、前記容量性センサの前記静電容量を測定及び監視するために処理手段を含んでいる。
【００２２】
好適には、前記測定は、前記キャパシタの充電及び／又は放電に要する時間を測定することによって達成される。
【００２３】
代わりに、前記測定は、前記キャパシタを含む共振回路の周波数を測定することによって達成される。
【００２４】
好適には、前記処理手段は、前記静電容量が予め規定された閾値を超えたとき出力信号を供給するようにされている。
【００２５】
好適には、本装置が様々な有害生物を選択的に対象とすべく構成されるように、前記開放端は、予め定められた直径の開口を有している。
【００２６】
好適には、前記シャッターは、作動されたとき前記容器の前記開放端を急速に閉じるようにされている。
【００２７】
好適には、前記シャッターは前記容器にヒンジ式に接続されている。
【００２８】
好適には、前記シャッターは、作動構造形において前記開放端に接触することにより前記開放端をほぼ密閉するようにされている。
【００２９】
好適には、前記シャッターは、予め定められた時間の後に開くようにされている。
【００３０】
好適には、前記容器は、前記シャッターが開いたとき、有害生物を該有害生物駆除装置から排出すようにされている。
【００３１】
好適には、前記コンテは、有害生物を重力手段によって排出するようにされている。
【００３２】
好適には、前記容器は鉛直表面に接続される。
【００３３】
好適には、本装置は、前記容器内に投与される窒息性ガスを収容しているリザーバを任意選択的に含んでいる。
【００３４】
好適には、前記排出手段は、前記容器の排気によって窒息性ガスを前記容器内へ引き入れるようにされている。
【００３５】
好適には、前記閉鎖手段は、機械的レバー、ホイール、ねじ作用、空気圧、油圧、又はばね作用ユニットから選択されたものである。
【００３６】
好適には、前記閉鎖手段は、幹線給電、太陽光発電、風力発電、ばね動力、電池電源、又はそれらの組み合わせによって電力または動力を供給される。
【００３７】
好適には、前記容器は、弾力のある細長い円筒状本体を有している。
【００３８】
好適には、前記閉鎖手段は、任意選択的に、手動で、又は自動的に、又は遠隔で作動される。
【００３９】
好適には、本装置は通信手段を含んでいる。
【００４０】
好適には、本装置は前記通信手段を使って状態通知メッセージを送信する。
【００４１】
好適には、本装置は前記通信手段を使って遠隔制御される。
【００４２】
好適には、前記通信手段はＧＳＭモジュールによって提供され、本装置はＳＭＳメッセージによって通信されるように構成されている。
【００４３】
更なる様相によると、本発明は、有害生物を殺した後に罠をリセットする方法であって、前述の記載のいずれか一つによる装置の前記開放端が地面の方に向けられるように、前記装置を鉛直表面に取り付ける段階を含んでいる方法に存すると広く言える。
【００４４】
更なる様相によると、本発明は、
有害生物を容器内に閉じ込める段階と、
実質的な真空にして、前記有害生物に脳塞栓症と急速な死とをもたらすのに十分な真空を前記容器内に生み出す段階とを含んでいる、有害生物を殺す方法に存すると広く言える。
【００４５】
好適には、真空を生み出す前記段階は前記容器内の圧力を急速に低下させる段階を含んでいる。
【００４６】
好適には、前記容器はプラスチックの袋を含んでいる。
【００４７】
更なる様相によると、本発明は、限られた空間内で一匹以上の有害生物の存在を決定する感知装置に存すると広く言え、
前記感知装置は、ほぼ平行の離間された導体を有する容量性センサを含んでおり、前記導体はエアギャップによって分離されてそれらの間にキャパシタを形成しており、前記エアギャップを有害生物が通行し、有害生物の前記通行が前記キャパシタの静電容量の変化を引き起こす。
【００４８】
好適には、本装置は、前記キャパシタの前記静電容量を測定及び監視するために処理手段を含んでいる。
【００４９】
好適には、前記測定は、前記キャパシタの充電及び／又は放電に要する時間を測定することによって達成される。
【００５０】
好適には、前記処理手段は、前記静電容量が予め規定された閾値を超えたとき出力信号を供給するようにされている。
【００５１】
好適には、前記出力信号はトリガとして用いられる。
【００５２】
本発明の更なる様相によると、添付図面のいずれか一つを参照して本明細書で実質的に説明された有害生物駆除装置が提供される。
【００５３】
本発明の更なる様相によると、添付図面のいずれか一つを参照して本明細書で実質的に説明された有害生物を殺した後に罠をリセットする方法が提供される。
【００５４】
本発明の更なる様相によると、添付図面のいずれか一つを参照して本明細書で実質的に説明された有害生物を殺す方法が提供される。
【００５５】
本発明の更なる様相によると、添付図面のいずれか一つを参照して本明細書で実質的に説明された限られた空間内で一匹以上の有害生物の存在を感知するための感知装置が提供される。
【００５６】
本発明は、例示を目的として及び添付図面を参照してここで説明される。
【図面の簡単な説明】
【００５７】
【図１ａ】木に取り付けられた本発明の装置の好適な実施例の作動構造形における部分透視図である。
【図１ｂ】木に取り付けられた本発明の装置の好適な実施例の作動可能構造形における部分透視図である。
【図２ａ】図１の装置の作動構造形における平面図である。
【図２ｂ】図１の装置の作動構造形における側面図である。
【図２ｃ】図１の装置の作動構造形における部分透視正面図である。
【図２ｄ】図１の装置の作動構造形における底面図である。
【図３】オプションの延長ユニットを含む、図１の装置の断面図である。
【図４ａ】オプションの延長ユニットを含む、図２の装置の作動構造形における斜視図である。
【図４ｂ】オプションの延長ユニットを含む、図２の装置の作動可能構造形における斜視図である。
【図５ａ】本発明による装置のさらに別の実施例の完全に組み立てられた斜視図である。
【図５ｂ】本発明による装置のさらに別の実施例のハウジングの一部が取り除かれた斜視図である。
【図５ｃ】本発明による装置のさらに別の実施例の分解斜視図である。
【図６ａ】本発明による装置のさらに別の好適な代替実施例の正面断面図である。
【図６ｂ】本発明による装置のさらに別の好適な代替実施例の側面断面図である。
【図６ｃ】本発明による装置のさらに別の好適な代替実施例の斜視図である。
【図７】本発明による感知装置のブロック図である。
【発明を実施するための形態】
【００５８】
図１を参照すると、鉛直方向で木に取り付けられた本発明の好適な実施例の装置１が、平面斜視図で示されている。装置１は図１ａ及び図１ｂにおいて木２に取り付けられている。装置１は、容器３、シャッター４（図１ａでは部分的に見えなくされている）、閉鎖手段５、及び排気手段６を含んでいる。
【００５９】
装置１は、図１ａでは作動構造形で示されており、一方図１ｂでは作動可能構造形で示されている。装置は、作動可能構造形において有害生物を罠で捕らえるように準備されている。
【００６０】
容器３は、実質的に弾力のある細長い円筒状の本体を有している。好適な実施例では、本体は、−２０ｋＰａから９５ｋＰａ（ここで１００ｋＰａは１気圧である）の間の真空圧に耐えることができる、弾力性のある堅いプラスチック又は金属から形成されている。
【００６１】
装置１は、さまざまな表面に接続されるように構成されている。装置１は、湾曲して外側に向いた外側面７ａと、ほぼ平坦な又は部分的に内側に湾曲した側面７ｂとを含んでいる。ほぼ平坦な側面７ｂは、例えば木又は鉛直表面に対する装置１の接続を改善するようにされている。
【００６２】
容器３は任意の形状であってよいが、予め定められた有害生物の閉じ込めに適するように好適に作られている。
【００６３】
容器３は開放端８及び閉鎖端９を含んでいる。開放端８は、所定の有害生物が容器３に入ることを可能にするように構成されている。開放端８は、地面の方に向けられており、このことは装置１のリセットを可能にする。開放端８は、開口１２（図１ｂ）を提供するようにデザインされており、前記開口１２は、所定の有害生物が容器３の中に入ることを可能にする大きさであるとともに、大きい動物及び／又は対象外の動物を好適に排除する大きさのものである。開放端８及び開口１２は図１ｂに最良に描かれている。開放端８の開口１２の大きさ及び容器３の大きさは、閉じ込める有害生物に応じて通常は変更され得る。２個以上の開放端８があってもよいことが理解されるであろう。例えば、閉鎖端９は他の開放端に置き換えられることが可能であり、又は代わりに装置１は容器３内への様々な開放端入口を含んでよい。
【００６４】
好適な一実施例では、容器３の大きさは、体重６ｋｇ、体長約５０ｃｍ、及び直径約２５ｃｍまでのブラッシュテイルオポッサム、又は体長約３５ｃｍ及び直径約２０ｃｍの齧歯動物を快適に収容するように構成されている。しかしながら、容器３及び開口１２は任意の大きさ又は形状であってもよい。
【００６５】
有害生物が容器３内へ入るのを助長するために、餌（不図示）が容器３内に取り付けられてよい。餌の選択は、装置１によって対象とされるべき特定の有害生物に強く依存するだろう。餌は、以下に説明される閉鎖手段５を作動させるように構成されたトリガ機構に取り付けられてよい。容器内である時に定量分配される２個以上の餌又は疑似餌があってよく、及び主餌によって更に内部に誘い込まれる前に有害生物を誘い入れるために、事前給餌された又は少量の餌が、装置１の開口１２に又は前記開口１２にほぼ近接して供給されてよい。
【００６６】
装置１は、有害生物が容器３内に入るのを促進するために、容器３内に装着された登上手段１０を任意選択的に含む。登上手段１０は容器３の内表面１１に取り付けられている。登上手段１０は、任意選択的であって、その導入は、装置１によって対象とされる特定の有害生物に強く依存している。例えば、ねずみは、餌に到達するその容器３内への移動を改善するために登上手段１０を使用することがある。対象の有害生物が例えば鳥又は無脊椎動物であるなら、登上手段１０は不要であろう。閉鎖手段５を作動させて装置１が（図１ａの）作動構造形に転換するために、登上手段１０又は登上手段１０の段（図１ａ及び１ｂでは省略）は圧力作動トリガ機構を提供してよい。
【００６７】
容器３の開放端８は密閉手段によって閉じられ、前記密閉手段は図解されている実施例ではシャッター４の形をしている。
【００６８】
シャッター４は、急速に閉じるように構成されることにより、有害生物が一旦容器３に入って閉鎖手段５を作動させたなら有害生物が容器３から立ち去ることを防止する。好適な実施例では、シャッター４は、作動構造形のとき開口１２の全体を覆うようにされたプレートである。シャッター４の外表面は基部プレートを有しており、前記基部プレートはシャッター４から外方に延びて、閉鎖手段５に接続するための手段を提供している。基部プレートは図２を参照して次に論述される。
【００６９】
シャッター４は、容器３にヒンジ式に係合しており、作動可能構造形から作動構造形へ移動して作動可能構造形に戻ることができる。もちろん、二つ以上の開放端があるなら、追加の開放端を閉鎖するために更に別のシャッターが設けられるだろう。
【００７０】
上述したように、容器３は、一つ又は複数のシャッターに関連付けられた閉鎖手段５を含んでいる。閉鎖手段５は、容器３内のどこかに配置されたトリガ機構によって一度始動されたなら容器３の開放端８の全域でシャッター４を急速に閉じるように構成されている。閉鎖手段５は、シャッター４を閉じることができる任意の形態の機械的又は電気的ユニットを含み得る。好適な実施例では、閉鎖手段５は、機械的レバー、ホイール、ねじ作用、空気圧、油圧、又はばね作用から選択される。好適には、閉鎖手段５は、有害生物の逃げ出しを防ぐ速度でシャッター４を閉じるように構成されているが、閉じ込められた有害生物がその尻尾又は他の外肢を容器３内に引き込むことを可能にするために、速度は作動の最終部分付近（全閉からほぼ５ｍｍ）で減速される。代わりに、シャッター４は有害生物の逃走を防ぐためにほぼ閉じて、次に、完全に閉じる前に予め規定された１〜６０秒の間待ち、シャッター４が密閉を形成するように完全に閉じることができないなら、シャッター４は、有害生物の例えば尻尾が閉じ込められるように開放及び再閉鎖するように構成されてよい。このように、シャッター４は、開放端８の全域にわたってほぼ気密のシールを形成することができる。
【００７１】
閉鎖手段５の一部を構成するトリガ機構が、例えば餌（不図示）又は登上手段１０の下に、又は登上手段１０の段の一部として配置され得る。本技術分野に知識を有する者は、容器３内に挿入されてシャッター４を作動させるように用いられる、例えば機械的又は電気的圧力センサ又は赤外線センサのような可能なトリガ機構に気付くだろう。しかしながら、好適な実施例では、トリガ機構は、容量性近接センサを含む感知装置から構成されている。
【００７２】
図７を参照すると、有害生物の存在又は通過を決定するのに適した感知装置５０が、少なくとも二つの対向して好適には平行な導体５１から構成され、前記少なくとも二つの導体５１は、容器３内で又は容器３にほぼ近接して離間されていて、それらの間のエアギャップが誘電体媒体を形成している。導体５１の間隔は、有害生物を収容するのに十分であり、有害生物は、餌に到達するために導体５１の間を通るように強いられる。有害生物が導体５１の間を通るとき、そのより高い比誘電率が導体間の全体的比誘電率を変化させて、回路の静電容量の変化を引き起こす。
【００７３】
二つの導体の間の静電容量は共振回路の一部を形成する。従って、静電容量の任意の変化が共振回路の周波数の対応する変化を引き起こし、従って周波数は、罠の中への有害生物の移動を決定するために監視され得る。
【００７４】
しかしながら、好適には静電容量の変化は信号処理演算増幅器５２によって増幅され、次に前記静電容量の変化は、マイクロ制御装置のような処理手段５３によって監視されて、キャパシタの充電及び／又は放電に要した時間に基づいて測定される。その時間は、１〜２０Ｈｚの間の周波数で好適に測定されるが、連続的測定の間にキャパシタが完全に充電及び放電するのに十分な時間が許容されるという条件で、他の測定周波数又は不定期測定が用いられてもよい。
【００７５】
処理手段５３は、予め規定された静電容量の閾値が超えられたとき出力信号を供給するように好適にプログラムされていて、それにより閉鎖手段５を始動又は作動させて、例えば本明細書で前述されたように密閉手段を閉じて有害生物を容器の中に閉じ込める。代わりに又は更に、出力信号が、好適には一以上の発光ダイオードの形をした一以上の状態表示器４７を制御するために用いられてよい。
【００７６】
容量性センサ５０は、例えば有害生物の存在を決定するために輸送容器に配置されたとき、又は例えばカメラの作動を始動するために巣若しくは巣穴の中に配置されたとき、有害生物又は他の動物の存在を検出することにおける代替の用途を有することも想起される。
【００７７】
再び図１及び２を参照すると、閉鎖手段５は離間された二本のアーム１３及び１４も含んでおり、前記アーム１３及び１４は、軸３５を介してシャッター４の基部プレートに滑動可能に係合している。閉鎖手段は、図２を参照して以下に更に説明される。
【００７８】
装置１は、容器内を減圧するように構成された排気手段６も含んでいる。排気手段６は、脳塞栓症及び／又は窒息によって有害生物に死をもたらすのに十分なほど容器３から酸素を排気するように構成されている。
【００７９】
このようにして、容器内に収容された有害生物は酸素が欠乏してすぐに死亡する。好適な実施例では、排気手段は、閉じ込めた有害生物の急速な死を確実にするために、−２０ｋＰａから−９５ｋＰａ（完全真空の基準として−１００ｋＰａ）の間の真空状態又は低圧状態を有している。この範囲外の真空圧が使用されてよいが、−８０から−９５ｋＰａの間の低圧状態の真空が急速な脳塞栓症及び／又は窒息を誘発して有害生物の急速な死を引き起こすだろう。排気手段は排気ポンプを含み得る。
【００８０】
好適には、閉鎖手段及び排気ポンピングプロセスは、幹線給電、太陽光発電、風力発電、ばね動力、電池電源、又はそれらの組み合わせによって電力または動力を供給される。
【００８１】
図２を参照すると、装置１の可能な代替実施例が図示されている。装置はリザーバ３１を含んでいる。容器３が排気されたとき、即ち酸素の体積が容器３から除去されたなら、窒息ガスが、好適にはリザーバ３１からのガスとしてリザーバから放出される。図２ａでは、装置１は閉鎖端９から示されていて、閉鎖端９に取り付けられたリザーバ３１が図示されている。閉鎖手段５は二本のアーム１３及び１４を含んでおり、前記二本のアーム１３及び１４は離間されていて閉鎖手段５からシャッター４（図２ａでは省略）の方へ延びてシャッター４に接続している。
【００８２】
図２ｂ及び２ｃは、作動構造形における装置１の側面図及び正面図を示している。シャッター４は容器３の開放端８をほぼ閉じてほぼ気密のシールを形成している。アーム１３（図示省略）及びアーム１４は軸３５（図示省略）を介して接続されて、シャッター４の基部プレート３４のスロット３３内に滑動可能に係合している。アーム１３及び１４の方向Ｂへの運動は、軸３５をスロット３３に沿って移動させて、シャッター４の閉鎖を引き起こし、装置１に作動構造形を採用させる。
【００８３】
図２ｄは装置１の底面図を示している。装置１は作動構造形で示されている。アーム１３及び１４は軸３５によって接続されている。軸３５は基部プレート３４のスロット３３を貫通している。スロット３３内における軸３５の移動は、シャッター４の作動可能構造形から作動構造形への移動を引き起こす。
【００８４】
好適には排気手段６は、一度作動されると所要の体積の空気又は酸素を取り除く、動力作動ダイヤフラム、回転ポンプ、ピストンポンプ、又は空気ポンプ類似装置である。排気手段は、例えば有害生物の窒息を保証するのに十分な時間容器３内の真空を維持するために、タイマー及び圧力センサによって制御され得る。この時間は、排気速度、有害生物の大きさ及び／又はタイプ、及び装置１により達せられる真空圧力を含むいくつかの要因によって決まる。
【００８５】
図３及び４を参照すると、装置１は、装置１の開放端８から延びる延長ユニット２０を任意選択的に含んでいる。
【００８６】
延長ユニット２０は開放端８から延びるように構成されている。延長ユニット２０は、頂端２１と底端２２とを有する本体を含んでいる。前記本体は、やはり円筒形で堅く、また装置１の本体の形状にほぼ合致する側面２３及び２４を含んでいる。延長ユニット２０は、装置１に同様の材料、例えばプラスチック材料のような材料で作られている。
【００８７】
対象有害生物が延長ユニット２０及びそれに続く装置１内に入ることを可能にするために、本体の底２２は開口２７を有している。内部仕切２５が、延長ユニット２０の内部空間２９の中ほどまで延びて内部空間２９を区分している。弾性フラップ２６は、有害生物が仕切２５を押しのけて装置１内に入ることを可能にする。フラップ２６は、有害生物がフラップ２６を押しのけたとき跳ね返って戻って開口２７を覆う。フラップ２６は、例えばゴム又はプラスチック材料で作られている。延長ユニット２０はトラップドア３２も含んでおり、前記トラップドア３２を通って死んだ動物が捕集室２８へ落下する。これは図４で最良に見られる。装置１が作動可能構造形から作動構造形へ移行したなら、容器３は排気されて有害生物は窒息させられる。次いでシャッター４が開放して、死んだ有害生物がトラップドア３２を通って延長ユニット２０内の捕集室２８の中へ落下する。
【００８８】
本発明は、有害生物を殺す（又は好ましくない動物を安楽死させる）方法も提供する。
【００８９】
餌は装置１の容器３の中に取り付けられる。好適には餌は、誘引含浸ポリマー材料、多様な時間間隔で夜に音を発する装置、水性ジェル、水、及び対象有害生物をおびき寄せるのに適した他の誘引物質を含み得る。疑似餌又は餌は、センサ又はトリガ機構上に置かれてよい。
【００９０】
トリガ機構に対する圧力の付加が閉鎖手段５を作動させる。閉鎖手段５はシャッター４を急速に閉じて、有害生物が装置１から出ることを実質的に制限する。好適な実施例ではシャッター４は、急速に、好適には２秒以内で開放端の開口１２の９５％を閉じる。開口１２の次の５％は、動物がその尻尾又は外肢を開口１２から引っ込めることを可能にするようにゆっくりと閉じられる。これは、開放端８全域にわたるシャッター４の気密シール性も向上させる。
【００９１】
次に容器３の空気が排気される。これは動物に酸素不足をもたらして死を引き起こす。空気の体積が除去されたとき窒息性ガスが導入されてよく、これはやはり有害生物に死をもたらす。窒息性ガスはリザーバ３１から放出され得る。
【００９２】
次にシャッター４は開放されて、装置が鉛直に配置されているなら死んだ有害生物が装置１から落下する。延長ユニット２０が装置１に接続されているなら、動物は捕集室２８内に落下する。捕集室２８は、死んだ有害生物の体重によってのみ開放されるドア３２によって閉じられている。これは、出現した有害生物が生きたまま捕集室２８に入ることを防ぐためである。これは、死んだ動物を収容して、次に出現した動物の介入を避けるという利点を有する。このように、本発明は、装置を使用後に自動的にリセットする方法を提供する。装置１が鉛直表面に取り付けられていて、シャッター４が開いたとき、死んだ有害生物は、重力手段によって装置から図１の地面の方に落下して図３及び４の捕集室２８内に落下する。
【００９３】
装置１は、次に出現する有害生物のために自動的にリセットされる。
【００９４】
装置がリセットしないで、特定の対象有害生物が容器３内に検査、監視、又は捕獲の目的のために収容されることが好適なことがある。
【００９５】
延長ユニット２０の代替又は追加として、装置１は、その直下に、該装置によって捕らえた有害生物を中に受け止めるための捕集袋を備えてよい。捕集袋は、好適には消毒されたプラスチック袋であるが、必ずしも消毒されていない他の材料から構成されてもよい。
【００９６】
好適な代替実施例によると、装置１の容器３は、内部に餌が配置される袋のようなサブ容器を含んでいる。前記袋は、好適にはプラスチック、又は真空を封じ込めるのに適した他の任意の材料である。理想的には、前記袋は密封されて真空がその袋の中に形成されるが、代わりに単に有害生物の廃棄を便利にするために袋が容器３の内側に備えられてもよい。この場合、容器３は真空に耐えて真空を封じ込めることが可能でなければならないのに対して、袋はそうではないだろう。
【００９７】
図５ａ〜図５ｄを参照すると、容器３は、ほぼ気密の耐真空袋４０から構成されるか、又はほぼ気密の耐真空袋４０を含んでいる。図示された好適な実施例では、容器３は、その中に配置されたハウジング４４と袋４０とを具備している。袋４０はハウジング４４の開口１２と連携するようにされた開放端４１を有している。酸素の排気に影響を及ぼすとともに、袋４０が一旦装置１から取り外されたら袋の中の真空を維持するために、袋４０は、該袋４０と真空ポンプの形をした排気手段６との間に逆止弁４５を含んでいる。
【００９８】
装置１は、有害生物が装置１内に入ったら袋４０の開放端４１を一時的に又は永久的に密閉する密閉手段を更に含んでいる。この好適な実施例では、密閉手段は、熱融着要素４６及び係合要素４２の形態をしており、前記係合要素４２は、熱融着を形成するために開放端４１において又は開放端４１にほぼ近接して袋４０を熱融着要素４６に対して押圧するためのものである。
【００９９】
有害生物は、開口１２を経由して装置１内の袋４０の開放端４１内に入って装置を作動させ、その結果密閉手段４２が袋４０の開放端４１を密閉して、排気手段６が作動されて袋４０内に真空を生み出し、そのことにより有害生物を窒息させる。真空パックされた有害生物を収容しているプラスチック袋は次に処分される。従ってこの実施例は衛生的廃棄手段、及び／又は有害生物の検査のため又は証拠のための保存、又は例えば食料源としての用途のような他の目的のための有害生物の利用のための保存を提供するという利点を有している。猫及び／又は犬のような動物が、死んだ有害生物を食べようとして又はそうでなければそれに近付こうとして袋４０を齧ることを防止するために、袋４０は忌避薬を含んでいることもある。前記袋は消毒されたものでもよい。
【０１００】
袋４０の交換及び罠のリセットを助けるために、容器３は取外し可能蓋４３を含んでいてよい。罠をリセットする必要があるか否かを見ることができるように、この蓋は透明であり得る。代わりに又は更に、装置１が複数の袋４０を備え、前記複数の袋４０を使って本明細書で前述されたように装置１が自動的にリセットされることも想定される。
【０１０１】
図６ａ〜図６ｃを参照すると、装置の好適な代替実施例が示されている。この実施例は、床に置かれて使用されるように構成されていて、外部の登上手段１０と、窒息された有害生物の捕集のための内部の捕集室２８とを備えている。捕集室２８は図示されているように捕集袋１５によって好適に区画されている。小さな餌又は事前飼料が、主餌（不図示）が保持されている容器３の下の装置１の内部に準備される。
【０１０２】
捕集室２８は、装置１内に一体にされていて、図示されるように捕集容器１５を取り外すことによって捕集室２８を空にすることを容易にするためにアクセスドア１６を好適に備えており、又は捕集室２８は、捕集された有害生物の処分にそれ自身が用いられる取外し可能な延長ユニット２０を備えていてもよい。装置１は、適切な延長ユニット２０への交換によって、木、壁、又は床に取り付けられる用途に適合され得る。
【０１０３】
好適な実施例によると、本発明は、例えば有害生物の捕獲のような装置の状態の変化を示す状態通知メッセージを送信するように働く有線及び／又は無線による通信手段を備えることもある。好適には、通信手段は、ＧＳＭ（汎欧州デジタルセルラーシステム）モジュールの形、又はＳＭＳ（ショートメッセージサービス）メッセージによって一以上の予め規定された携帯電話番号と通信するようにされた携帯電話の形をしている。従って、装置１は、例えば装置がリセットされなければならないか又は延長ユニット２０の捕集室２８が満杯かを示すメッセージを専用の分配コンピュータ及び／又は一以上の個人の携帯電話に送信する。
【０１０４】
通信は、存在するなら、容量性センサ５０を制御するのと同じマイクロ制御器又は別のマイクロ制御器によって制御され得る。メッセージを送信した後、マイクロ制御器は自動的に装置をリセット、若しくは電力を節約するために装置を停止する、又は装置は遠隔制御され、従ってリセットするように受信したメッセージに応答して装置それ自身をリセットのみする。通信モジュールはＧＳＭ／ＳＭＳ通信に関して説明されてきたが、任意の代替の有線及び／又は無線通信媒体及び通信標準が代わりに用いられてよいことが、本技術分野に知識を有する者には明らかであろう。
【０１０５】
従って本発明は、人間味があって確実なプロセス、即ち（１）有害生物を容器内に閉じ込めて、次に（２）有害生物に死をもたらすのに十分な酸素を容器から排気することによって、有害生物を殺す改良された方法を提供する。好適な実施例では、有害生物は真空パックされたプラスチック袋の中に衛生的に密閉される。本発明の代替実施例では、排気プロセスは、有害生物の死のスピードを速めるために窒息性ガスの容器３内への放出を開始する。窒息性ガスは、容器３の排気によってリザーバ３１から引き入れられる。
【０１０６】
前述の説明では、公知の均等物を有する発明の特定の構成要素又は完全体に対して参照がなされ、そのような均等物は、あたかも個別に述べられたように本明細書に組み入れられている。
【０１０７】
本発明は、例示を目的として及びその可能な実施例を参照して説明されてきたが、それに対する変更又は改良が本発明の範囲又は精神から逸脱することなくなされてよいことが理解されるべきである。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
閉鎖端及び少なくとも一つの開放端を有する容器と、
前記容器の開放端をほぼ閉鎖するようにされた密閉手段と、
前記密閉手段と関連付けられた閉鎖手段であって、作動されたとき真空を維持するために及び有害生物を前記容器内に閉じ込めるために前記開放端をほぼ閉鎖するようにされた閉鎖手段と、
実質的な真空にして、脳塞栓症によって前記有害生物に急速な死をもたらすのに十分な真空を前記容器内に生み出す手段と、を含む有害生物駆除装置。
【請求項２】
前記真空の圧力は、大気圧未満の８０ｋＰａから９５ｋＰａの間にある、請求項１に記載の有害生物駆除装置。
【請求項３】
前記容器は、有害生物が中に閉じ込められる袋を含んでいる、請求項１又は２に記載の有害生物駆除装置。
【請求項４】
前記真空が前記袋の中に生み出される、請求項３に記載の有害生物駆除装置。
【請求項５】
前記密閉手段は、前記袋の開放端を密閉するようにされた係合手段及び熱融着要素を含んでいる、請求項３又は４に記載の有害生物駆除装置。
【請求項６】
前記袋は、前記真空を生み出す手段との係合のための弁を含んでいる、請求項３〜５のいずれか一項に記載の有害生物駆除装置。
【請求項７】
前記閉鎖手段は、前記容器内における有害生物の存在を決定して前記閉鎖手段を作動するようにされたトリガ機構を含んでいる、請求項１〜６のいずれか一項に記載の有害生物駆除装置。
【請求項８】
前記トリガ機構は感知装置を含んでいる、請求項７に記載の有害生物駆除装置。
【請求項９】
前記感知装置は、ほぼ平行の離間された導体を有する容量性センサを含んでいる請求項８に記載の有害生物駆除装置であって、前記離間された導体はエアギャップによって分離されていてそれらの間にキャパシタを形成しており、前記エアギャップを有害生物が通行し、有害生物の前記通行が前記キャパシタの静電容量の変化を引き起こす、請求項８に記載の有害生物駆除装置。
【請求項１０】
前記容器は、前記有害生物を排出すようにされている、請求項１〜９のいずれか一項に記載の有害生物駆除装置。
【請求項１１】
通信手段を含んでいる、請求項１〜１０のいずれか一項に記載の有害生物駆除装置。
【請求項１２】
前記通信手段を使って状態通知メッセージを送信する、請求項１１に記載の有害生物駆除装置。
【請求項１３】
前記通信手段を使って遠隔制御される、請求項１１又は１２に記載の有害生物駆除装置。
【請求項１４】
有害生物を容器内に閉じ込める段階と、
実質的な真空にして、前記有害生物に脳塞栓症と急速な死とをもたらすのに十分な真空を前記容器内に生み出す段階と、を含んでいる有害生物を殺す方法。
【請求項１５】
前記真空の圧力は、大気圧未満の８０ｋＰａから９５ｋＰａの間にある、請求項１４に記載の有害生物を殺す方法。
【請求項１６】
前記容器はプラスチックの袋を含んでいる、請求項１４又は１５に記載の有害生物を殺す方法。
【請求項１７】
添付図面のいずれか一つを参照して本明細書で実質的に説明された有害生物駆除装置。
【請求項１８】
添付図面のいずれか一つを参照して本明細書で実質的に説明された有害生物を殺す方法。
【国際調査報告】
2010523110.tif 000019
2010523110.tif 000020
2010523110.tif 000021
2010523110.tif 000022
2010523110.tif 000023